(57)【要約】【課題】短絡バーを紛失することが防止され、操作性の良好なトリップロック端子を提供すること。【解決手段】トリップロック端子は、端子部１２と短絡バー５０とを有する。端子部１２は、一対の端子１２ａ、１２ｂを有し、一対の端子１２ａ、１２ｂは一対の棒状端子を有する。短絡バー５０は、一端５８ａが、一対の棒状端子の内の一方の棒状端子１８ｂに、この棒状端子１８ｂと電気的接続状態を保ちつつ回動可能に取り付けられ、一対の棒状端子１８ａ、１８ｂの短絡状態は、短絡バー５０の回動動作によって短絡バー５０の他端５８ｂが他方の棒状端子１８ａに接続されることで為され、一対の棒状端子１８ａ、１８ｂの開放状態は、短絡バーの回動動作によって、短絡バー５０の他端５８ｂを他方の棒状端子１８ｂから離隔させることで為される。【選択図】図１
2012194135.tif 000002
【特許請求の範囲】
【請求項１】
一方が保護装置、他方が遮断器にそれぞれ接続されてケーシングの表面から突出した状態で設けられた一対の棒状端子を有する端子部と、該端子部の一対の棒状端子間の短絡と開放を行うための短絡バーと、を有するトリップロック端子において、
前記短絡バーは、一端が、前記一対の棒状端子の一方の棒状端子に、該棒状端子との電気的接続状態を保ちつつ回動可能に取り付けられ、
前記短絡バーの回動範囲は、少なくとも前記短絡バーの他端が他方の棒状端子に電気的接続状態となる位置から、非電気的接続状態となる位置までが含まれ、
前記端子部には、前記短絡バーの他端が前記他方の棒状端子と電気的接続状態になったときに、該電気的接続状態を維持する短絡バー係止手段が設けられたことを特徴とするトリップロック端子。
【請求項２】
前記短絡バーの一端と前記一方の棒状端子との取り付けは、
該棒状端子の前記突出した先端部に細径部を形成して段差部を設け、前記短絡バーの一端に前記細径部のみが挿通する穴部を形成し、該穴部に前記細径部を通して該短絡バーの表面を前記段差部の段差面に付勢手段により横圧当接させて行われたことを特徴とする請求項１に記載のトリップロック端子。
【請求項３】
前記短絡バーの他端と前記他方の棒状端子との電気的接続は、前記短絡バーの表面を前記他方の棒状端子の前記突起した先端部の端面に接触させて行われ、
前記短絡バー係止手段による前記接続状態の維持は、前記他方の棒状端子の前記先端部の端面上を上下に移動する突起部を、前記短絡バーの他端に形成された穴部に通して該短絡バーの表面を前記先端部の端面に付勢手段により横圧当接させて行われることを特徴とする請求項１又は２の何れか１項に記載のトリップロック端子。
【請求項４】
前記短絡バーは、前記回動範囲内で、該短絡バーの他端が前記他方の棒状端子から離隔する方向に付勢手段により付勢されたことを特徴とする請求項１から３の何れか１項に記載のトリップロック端子。
【請求項５】
前記短絡バーには、該短絡バーの他端が露出状態、被覆状態に切り替え可能にスライドする絶縁カバーが設けられたことを特徴とする請求項１から４の何れか１項に記載のトリップロック端子。
【請求項６】
前記短絡バーには、前記絶縁カバーが前記他端を被覆状態としたときに露出する部分にトリップロック中であることを表す文字又は記号が付されたことを特徴とする請求項５に記載のトリップロック端子。
【発明の詳細な説明】
【技術分野】
【０００１】
本発明は、トリップロック端子、特に、短絡バーによりトリップロック端子間を短絡又は開放状態とするトリップロック端子に関する。
【背景技術】
【０００２】
発変電所等の電力保護制御回路として、図５に示すような保護装置４０と遮断器２８とを含む回路が採用されている。保護装置４０はケーシングである電力保護制御盤２６に収容されている。通常は、端子６１ａと端子６１ｂの間を短絡状態とすることにより、保護回路４０と遮断器２８のトリップコイル２８ａを接続する回路が構成され保護回路が作動する。端子６１ａと端子６１ｂの間を開放状態とすると遮断器２８がトリップロックの状態となる。端子６１ａと端子６１ｂを短絡状態とするために短絡バーが用いられる。本明細書中では、トリップロック端子は、端子部６１と短絡バーを有する概念であり、端子部６１には上側端子６１ａと下側端子６１ｂがある。なお、電力保護制御盤２６には、一対の端子６１ａ、６１ｂの電圧を測定するための試験用アース端子３２が設けられている。
【０００３】
図６は、トリップロック端子の概略斜視図である。トリップロック端子６０は、前述のように端子部６１と短絡バー７８とを有する。端子部６１は、一対の端子６１ａ、６１ｂを有し、この端子６１ａ、６１ｂの電気的な導通体として棒状端子７０ａ、７０ｂが設けられている。一対の棒状端子７０ａ、７０ｂはケーシングである電力保護制御盤２６の前面パネル８６から突出した状態で設けられている。保護装置４０による保護回路を作動させる場合は、一対の棒状端子７０ａ、７０ｂに短絡バー７８を装着し、一対の棒状端子７０ａ、７０ｂ間を短絡状態とすることで為される。作業等のために、遮断器２８をトリップロックする場合は、短絡バー７８を一対の棒状端子７０ａ、７０ｂから取り外し、一対の棒状端子７０ａ、７０ｂ間を開放状態とすることで為される。
【０００４】
端子６１ａは、棒状端子７０ａと絶縁性の取付台７４ａ、７４ｃを有して構成される。すなわち、棒状端子７０ａは、前面パネル８６に、絶縁性の取付台７４ａ、７４ｃを用いて取り付けられるが、この取り付けは、中心に棒状端子７０ａが設けられた取付台７４ａを前面パネル８６の穴部に通し、前面パネル８６の裏側で取付台７４ｃと嵌合することで為される。棒状端子７０ａは前面パネル８６の表側方向及び裏側方向にそれぞれ所定長さ突出している。表側の突出した部分には、ネジ部が形成され、このネジ部に螺合して棒状端子７０ａ上を進退動する絶縁性の締付ネジ７２ａと、棒状端子７０ａの先端の露出部を保護する絶縁性の保護部７６ａを備えている。裏側の突出した部分には、保護装置４０から配線される第１コードが接続される。
【０００５】
端子６１ｂは、上記と同様であり、説明は省略する。ただし、棒状端子７０ｂの裏側の突出した部分には、遮断器２８のトリップコイル２８ａから配線される第２コードが接続される。
【０００６】
短絡バー７８は、同方向に開放する略Ｃ字形状の一端８０ａ及び他端８０ｂを有し、一端８０ａと他端８０ｂの略中央に絶縁性材料からなる摘み部８４を備えている。保護回路を作動させるためには、短絡バー７８の一端８０ａ及び他端８０ｂを端子６１ａ、６１ｂに取り付けて、一対の棒状端子７０ａ、７０ｂと電気的な接続状態とし、締付ネジ７２ａ、７２ｂを用いてその電気的接続状態を維持することにより為される。遮断器２８をトリップロック状態とするには、短絡バー７８を端子６１ａ、６１ｂから取り外すことにより為される。
【０００７】
遮断器２８をトリップロックして所定の作業を終了した後は、短絡バー７８を端子６１ａ、６１ｂに装着し、保護回路を作動させる。ここで、端子６１ａ、６１ｂに異常な電圧が印加されている場合に短絡バー７８を取り付けると、遮断器２８のトリップコイル２８ａに電圧が印加され誤作動を起こし、停電等の不具合が発生する恐れがある。これを防止するために、特許文献１には、トリップロック端子の端子部に短絡バーの挿入を防止するストッパが設けられたトリップロック端子が開示されている。
【先行技術文献】
【特許文献】
【０００８】
【特許文献１】特開２００９−１９９５５号公報
【発明の概要】
【発明が解決しようとする課題】
【０００９】
背景技術の図６で示したトリップロック端子６０において、一対の棒状端子７０ａ、７０ｂ間の短絡状態を、短絡バー７８を取り外して開放状態とした時に、短絡バー７８は一端８０ａ及び他端８０ｂが端子６１ａ、６１ｂから完全に外れるので、取り外した短絡バー７８を紛失する恐れがある。また、一対の棒状端子７０ａ、７０ｂ間を短絡状態とするために、短絡バー７８を端子６１ａ、６１ｂに取り付ける場合に、短絡バー７８の一端８０ａと他端８０ｂの両方を端子６１ａ、６１ｂに接続し、締付け螺子７２ａ、７２ｂによりその電気的接続状態を維持するようにしなければならないので操作性が悪いという問題があった。なお、特許文献１に開示されたトリップロック端子においても、トリップロック端子の基本的な構成は背景技術で示した図６と略同一であるので、上述と同様の問題点を有する。
【００１０】
本発明は、上記の課題に鑑みてなされたものであり、その目的は、短絡バーを紛失することが防止され、操作性の良好なトリップロック端子を提供することにある。
【課題を解決するための手段】
【００１１】
上記目的を達成するため、請求項１に記載のトリップロック端子は、
一方が保護装置、他方が遮断器にそれぞれ接続されてケーシングの表面から突出した状態で設けられた一対の棒状端子を有する端子部と、該端子部の一対の棒状端子間の短絡と開放を行うための短絡バーと、を有するトリップロック端子において、前記短絡バーは、一端が、前記一対の棒状端子の一方の棒状端子に、該棒状端子との電気的接続状態を保ちつつ回動可能に取り付けられ、前記短絡バーの回動範囲は、少なくとも前記短絡バーの他端が他方の棒状端子に電気的接続状態となる位置から、非電気的接続状態となる位置までが含まれ、前記端子部には、前記短絡バーの他端が前記他方の棒状端子と電気的接続状態になったときに、該電気的接続状態を維持する短絡バー係止手段が設けられたことを特徴とする。
【００１２】
この構成によれば、短絡バーの一端が、一対の棒状端子の一方の棒状端子に、電気的接続状態を保ったままで、この一方の棒状端子を回動中心として回動可能に取り付けられる。したがって、一対の棒状端子間を開放状態又は短絡状態とするには、短絡バーを回動させ、短絡バーの他端を、他方の棒状端子から離隔させる又は他方の棒状端子に電気的に接続させることで為される。短絡バーの一端と一方の棒状端子とは常に電気的接続状態が保たれ、短絡バーの他端と他方の棒状端子との電気的接続状態は、短絡バー係止手段により維持される。したがって、短絡バーの一端は、一方の棒状端子に常に取り付けられているので、紛失することが防止され、棒状端子間の開放又は短絡状態は、短絡バーの回動操作によって為されるので優れた操作性を発揮する。
【００１３】
請求項２に記載のトリップロック端子は、請求項１に記載のトリップロック端子において、前記短絡バーの一端と前記一方の棒状端子との取り付けは、該棒状端子の前記突出した先端部に細径部を形成して段差部を設け、前記短絡バーの一端に前記細径部のみが挿通する穴部を形成し、該穴部に前記細径部を通して該短絡バーの表面を前記段差部の段差面に付勢手段により横圧当接させて行われたことを特徴とする。したがって、短絡バーの一端は一方の棒状端子と回動可能に構成されているが、この一端が一方の棒状端子に形成された段差部の段差面に付勢手段により押圧当接されているので、常に良好な電気的な接続状態が確保される。
【００１４】
請求項３に記載のトリップロック端子は、請求項１又は２の何れか１項に記載のトリップロック端子において、前記短絡バーの他端と前記他方の棒状端子との電気的接続は、前記短絡バーの表面を前記他方の棒状端子の前記突起した先端部の端面に接触させて行われ、前記短絡バー係止手段による前記接続状態の維持は、前記他方の棒状端子の前記先端部の端面上を上下に移動する突起部を、前記短絡バーの他端に形成された穴部に通して該短絡バーの表面を前記先端部の端面に付勢手段により横圧当接させて行われることを特徴とする。したがって、短絡バーを回動させ、短絡バーの他端と他方の棒状端子との電気的接続状態を確立したとき、短絡バーの他端に形成された穴部に突起部が通されて付勢手段により短絡バーの表面が棒状端子の先端部の端面に付勢手段により横圧当接されるので、短絡バーの他端と他方の棒状端子との電気的接続は良好に維持される。
【００１５】
請求項４に記載のトリップロック端子は、請求項１から３の何れか１項に記載のトリップロック端子において、  前記短絡バーは、前記回動範囲内で、該短絡バーの他端が前記他方の棒状端子から離隔する方向に付勢手段により付勢されたことを特徴とする。したがって、短絡バー係止手段による短絡バーの他端と他方の棒状端子との電気的な接続状態の維持を解除すると、短絡バーの一端は一方の棒状端子と電気的な接続を保ったまま、短絡バーの他端が他方の棒状端子から離隔する方向に、付勢手段の付勢力により所定の角度回動することとなる。これにより、一対の棒状端子間を開放状態にする場合に、短絡バーが付勢力により回動するので、手動で回動させる手間が省け、操作性が更に向上する。
【００１６】
請求項５に記載のトリップロック端子は、請求項１から４の何れか１項に記載のトリップロック端子において、前記短絡バーには、該短絡バーの他端が露出状態、被覆状態に切り替え可能にスライドする絶縁カバーが設けられたことを特徴とする。したがって、短絡バーを回動させ一対の棒状端子間を開放状態にした場合に、短絡バーの一端は一方の棒状端子と電気的な接続状態が保たれたままであるが、短絡バーの他端がカバーにより覆われるので、接触等による事故を防止することが可能である。
【００１７】
請求項６に記載のトリップロック端子は、請求項５に記載のトリップロック端子において、前記短絡バーには、前記絶縁カバーが前記他端を被覆状態としたときに露出する部分にトリップロック中であることを表す文字又は記号が付されたことを特徴とする。したがって、短絡バーを回動させることにより、一対の棒状端子間を開放状態、すなわちトリップロック状態としたときに、短絡バーに付されたトリップロック中であることを表す文字又は記号が認識できるので誤操作等が防止されることとなる。
【発明の効果】
【００１８】
本発明のトリップロック端子によれば、一対の棒状端子の内の一方の棒状端子に短絡バーの一端を電気的な接続状態を保ったまま回動可能に取り付けたので、一対の棒状端子の開放又は短絡状態は、短絡バーを回動させて、短絡バーの他端を他方の棒状端子から離隔させること、又は他方の棒状端子に電気的に接続させることで為される。したがって、短絡バーは一端が棒状端子に取り付けられているので紛失することが防止され、短絡バーを回動させるだけ棒状端子間の開放又は短絡状態が実現できるので操作性が良好であり、その後の作業に迅速に取り掛かることが可能である。
【図面の簡単な説明】
【００１９】
【図１】本発明のトリップロック端子の第１の実施の形態に係り、一対の棒状端子が短絡状態（ａ）、及び一対の棒状端子が開放状態（ｂ）の時のトリップロック端子の概略斜視図である。
【図２】本発明のトリップロック端子の第２の実施の形態に係り、一対の棒状端子が短絡状態（ａ）、及び一対の棒状端子が開放状態（ｂ）の時のトリップロック端子の概略斜視図である。
【図３】図２のトリップロック端子に係り、一対の棒状端子が短絡状態時の端子部の概略断面図である。
【図４】図２のトリップロック端子に係り、一対の棒状端子が開放状態時の端子部の概略断面図である。
【図５】発変電所等の電力保護回路の一例を示す回路構成図である。
【図６】従来のトリップロック端子の概略斜視図である。
【発明を実施するための形態】
【００２０】
本発明の実施の形態を、以下図面を参照しながら詳述する。図１は、本発明の第１の実施の形態に係るトリップロック端子の概略斜視図である。ただし、図１（ａ）は一対の棒状端子が短絡状態時、図１（ｂ）は一対の棒状端子が開放状態時について示す。
【００２１】
トリップロック端子１０は、端子部１２と短絡バー５０を有する。端子部１２は、一対の端子１２ａ、１２ｂを有し、それぞれケーシングである電力保護制御盤の前面パネル８６の所定の位置に突出した状態で取り付けられている。一対の端子１２ａ、１２ｂは、それぞれ導電体として棒状端子を有する。したがって、端子１２ａ、１２ｂ間を短絡状態にすることは、一対の棒状端子間を短絡状態にすることを意味し、一対の端子１２ａ、１２ｂを開放状態にすることは、一対の棒状端子を開放状態にすることを意味する。
【００２２】
本実施の形態において、端子１２ａは、従来の構成と略同一である。すなわち、端子１２ａは、棒状端子１８ａと締付ネジ７２ａと保護部７６ａを有し、取付台７４ａ等により前面パネル８６に取り付けられている。短絡バー５０の他端５８ｂと棒状端子１８ａとの電気的接続は、短絡バー７８の他端５８ｂを端子１２ａに接触させて為され、締付ネジ７２ａを用いてその電気的接続状態が維持される。締付ネジ７２ａと取付台７４ａは、短絡バー５０の他端５８ｂが他方の棒状端子１８ａと電気的接続状態になったときに、この電気的接続状態を維持する短絡バー係止手段である。
【００２３】
端子１２ｂは、短絡バー５０の一端５８ａがこの端子１２ｂの棒状端子（図示していない）と電気的な接続状態を保ったままで、端子１２ｂを中心にして、回動することが可能に構成されている。回動の範囲は、少なくとも短絡バー５０の他端５８ｂが他方の棒状端子１８ａに電気的接続状態となる位置から、非電気的接続状態となる位置までが含まれる。
【００２４】
図１（ａ）に示すように、一対の端子１２ａ、１２ｂ間に短絡バー５０が装着された状態では、一対の端子１２ａ、１２ｂ間が短絡バー５０により短絡された状態となり、保護装置と遮断器とを結ぶ回路が構成ざれ、保護回路が作動する。一方、図１（ｂ）に示すように、端子１２ａの締付ネジ７２ａを緩め、短絡バー５０を回動させ、短絡バー５０の他端５８ｂが、上側の端子１２ａから外され、短絡バー５０が左に傾いた状態では、一対の端子１２ａ、１２ｂ間は開放状態となり、遮断器がトリップロックした状態となる。
【００２５】
短絡バー５０の一端５８ａと他端５８ｂとの間には、絶縁性の摘み部５２があり、この摘み部５２には絶縁性のスライドカバー５６が取り付けられている。このスライドカバー５６により、短絡バー５０の他端５８ｂを被覆状態とすることができ、接触等の事故を防止することができる。同時に、摘み部５２にトリップロック中の文字が現れ、遮断器がトリップロック中であることを外部から明確に認識することが可能であり、誤操作等を防止することができる。
【００２６】
本実施の形態によれば、端子１２ａ、１２ｂ間の開放状態は、端子１２ａの締付ネジ７２ａを緩めて、短絡バー５０を、端子１２ｂを中心に回動せることで為される。端子１２ａ、１２ｂ間の短絡状態は、短絡バー５０を回動させて他端５８ｂを端子１２ａに接触させ締付ネジ７２ａを緩めて為される。短絡バー５０の一端５８ａは、端子１２ｂの一方の棒状端子に電気的接続状態を保ったまま取り付けられている。したがって、トリップロック時に短絡バー５０を紛失することが防止される。また、端子１２ａ、１２ｂ間の短絡状態及び開放状態は、短絡バー５０を回動させて実現できるので、その後の作業に迅速に取り掛かることが可能である。また、トリップロック中であることが摘み部に明確に表示されるので、誤操作を防止することができる。
【００２７】
図２は、本発明の第２の実施の形態に係るトリップロック端子の概略斜視図である。ただし、図２（ａ）は一対の棒状端子が短絡状態時、図２（ｂ）は一対の棒状端子が開放状態時について示す。トリップロック端子１０は、端子部１２と短絡バー５０を有する。端子部１２は、一対の端子１２ａ、１２ｂを有し、それぞれケーシングである電力保護制御盤の前面パネル８６の所定の位置に突出した状態で取り付けられている。一対の端子１２ａ、１２ｂは、それぞれ主たる導電体として棒状端子を有する。端子１２ａ、１２ｂ間を短絡状態にすることは、一対の棒状端子間を短絡状態にすることを意味し、端子１２ａ、１２ｂ間を開放状態にすることは、一対の棒状端子間を開放状態にすることを意味する。短絡バー５０の一端５８ａは端子１２ｂの棒状端子に電気的な接続状態を保ったままで、この棒状端子を中心に回動可能に取り付けられている。
【００２８】
図２（ａ）に示すように、一対の端子１２ａ、１２ｂ間に短絡バー５０が装着された状態では、一対の端子１２ａ、１２ｂ間が短絡バー５０により短絡された状態となり、保護装置と遮断器とを結ぶ回路が構成ざれ、保護回路が作動する。一方、図２（ｂ）に示すように、短絡バー５０を回動させ、短絡バー５０の他端５８ｂが、上側の端子１２ａから外され、短絡バー５０が左に略４５度傾いた状態では、一対の端子１２ａ、１２ｂ間は開放状態となり、遮断器がトリップロックした状態となる。
【００２９】
短絡バー５０の一端５８ａと他端５８ｂとの間には、絶縁性の摘み部５２があり、この摘み部５２には絶縁性のスライドカバー５６が取り付けられている。このスライドカバー５６により、短絡バー５０の他端５８ｂを被覆状態とすることができ、接触等の事故を防止することができる。同時に、摘み部５２にトリップロック中の文字が現れ、遮断器がトリップロック中であることを外部から明確に認識することが可能であり、誤操作等を防止することができる。
【００３０】
図３は、図２に示したトリップロック端子の保護回路作動状態時の概略断面図である。図４は、図２に示したトリップロック端子のトリップロック状態時の概略断面図である。端子１２ａは、棒状端子１８ａを有し、この棒状端子１８ａに保護装置に接続される第１コード３０が取り付けられている。端子１２ｂは、棒状端子１８ｂを有し、この棒状端子１８ｂに遮断器に接続される第２コード３８が取り付けられている。一対の棒状端子１８ａ、１８ｂは、電力制御盤（ケーシング）の前面パネル（表面）８６から突出した状態で設けられている。
【００３１】
まず、上側の端子１２ａの構成について説明する。端子１２ａは、表側取付台１４ａと裏側取付台１６ａと棒状端子１８ａと移動蓋部４０を有する。表側取付台１４ａは、中心に棒状端子１８ａを有し、絶縁材料にて構成され、同軸中心に直径の異なる３つの略円柱体を、直径の小さな順に重ねた形状を為している。直径の小さな順に、結合部１４ａ−１、中間部１４ａ−２、基部１４ａ−３とする。棒状端子１８ａの長さは、結合部１４ａ−１及び基部１４ａ−３のそれぞれの端面から外側方向に所定の長さ突出するように設定されている。表側取付台１４ａの結合部１４ａ−１は、棒状端子１８ａの突出した部分と共に、前面パネル８６の表側から穴部６２に通される。ここで、穴部６２の直径は結合部１４ａ−１の直径と略同一である。
【００３２】
裏側取付台１６ａは、絶縁材料にて構成され、略円柱体形状を為している。この略円柱体形状の裏側取付台１６ａには、表側取付台１４ａの結合部１４ａ−１に嵌合する嵌合凹部１６ａ−１と、棒状端子１８ａが貫通する貫通穴１６ａ-２が形成され、全体の直径は表側取付台１４ａの基部１４ａ−３の直径と略同一に構成されている。表側取付台１４ａの結合部１４ａ−１と裏側取付台１６ａが嵌合結合された後、表側取付台１４ａの基部１４ａ−３の外側に突出した棒状端子１８ａの部分と、裏側取付台１６ｂの外側に突出した棒状端子１８ａの部分にそれぞれ形成されたネジ部（図示していない）にそれぞれ螺合するナット２０により、表側取付台１４ａと裏側取付台１６ａは前面パネル８６を挟持して相互に固定される。
【００３３】
前面パネル８６の裏側に突出した導電軸体１８ａの端部には、ネジ部３６が形成されており、このネジ部３６に圧着端子３２が接続された第１コード３０がナット３４によりネジ止めされる。棒状端子１８ａの表側取付台１４ａの基部１４ａ−３から突出した端部は、端面が平坦にされ、この端面に短絡バー５０の他端５８ｂの回動方向と平行な面が接触し、また後述する移動蓋部４０の第２突起部４０ｂの先端面が他端５８ｂに形成された穴部５４ｂを通って当接するように構成されている。
【００３４】
移動蓋部４０は、有底の略円筒形状であり、内径は表側取付部１４ａの基部１４ａ−３の直径に略等しい。また、移動蓋部４０の開口端縁部には開口部内に向かってフランジ部４０ｃが形成されており、このフランジ４０ｃの内径が表側取付部１４ａの中間部１４ａ−２の直径に略等しい。したがって、移動蓋部４０は、表側取付部１４ａの中間部１４ａ−２の長さ分だけ、前面パネル８６から垂直方向にスライド可能に構成されている。図２及び図４において、移動蓋部４０が移動できる距離をギャップＧで表している。
【００３５】
移動蓋部４０の略円形底部の中心には第１突起部４０ａが形成され、この第１突起部４０ａの先端面に更に直径の小さな第２突起部４０ｂが形成されている。第１突起部４０ａの直径は導電軸体１８ａの直径と略同一である。第２突起部４０ｂの直径は、短絡バー５０の他端５８ｂに形成された穴部５４ａの直径に略等しい。また、第２突起部４０ｂの突起の長さは、短絡バー５０の他端５８ｂの厚さに略等しい。この第２突起部４０ｂは、移動蓋部４０を前面パネル８６側に移動したときに、短絡バー５０の他端５８ｂの穴部５４にちょうど挿入されるように構成される。したがって、第１突起部４０ａの突起の長さは、移動蓋部４０を前面パネル８６側に移動し当接させたときに、上記の第２突起部４０ｂの先端面が、短絡バー５０の他端５８ｂの穴部５４を通り、導電軸体１８ａの端面に当接するような長さに設定されている。
【００３６】
ここで、移動蓋部４０の第１突起部４０ａの周囲にはバネ４２が巻かれており、自然長で第２突起部４０ｂの先端近傍に到達する長さを有している。したがって、移動蓋部４０を前面パネル８６側に移動させ当接させたときに、このバネ４２が短絡バー５０の他端５８ｂの厚さ分だけ収縮し、短絡バー５０の他端５８ｂを棒状端子１８ａの端面に付勢することとなる。したがって、短絡バー５０の他端５８ｂと棒状端子１８ａの電気的な接触が良好に保たれる。すなわち、上記の第２突起部４０ｂ及びバネ４２により短絡バー係止手段が構成され、短絡バー５０の他端５８ｂと棒状端子１８ａの電気的接続状態が維持される。
【００３７】
次に、下側の端子１２ｂの構成について説明する。端子１２ｂは、表側取付台１４ｂと裏側取付台１６ｂと棒状端子１８ｂと固定蓋部４４を有する。表側取付台１４ｂは、中心に棒状端子１８ｂを有し、絶縁材料にて構成され、同軸中心に直径の異なる２つの略円柱体を重ねた形状を為している。直径の小さな順に、結合部１４ｂ−１、基部１４ｂ−２とする。導電軸体１８ｂの長さは、結合部１４ｂ−１及び基部１４ｂ−２のそれぞれの端面から外側方向に所定の長さ突出するように設定されている。表側取付台１４ｂの結合部１４ｂ−１は、棒状端子１８ｂの突出した部分と共に、前面パネル８６の表側から穴部６２に通される。ここで、穴部６２の直径は結合部１４ｂ−１の直径と略同一である。
【００３８】
裏側取付台１６ｂは、絶縁材料にて構成され、略円柱体形状を為している。この略円柱体形状の裏側取付台１６ｂには、表側取付台１４ｂの結合部１４ｂ−１に嵌合する嵌合凹部１６ｂ−１と、棒状端子１８ｂが貫通する貫通穴１６ｂ−２が形成され、全体の直径は表側取付台１４ｂの基部１４ｂ−２の直径と略同一に構成されている。表側取付台１４ｂの結合部１４ｂ−１と裏側取付台１６ｂが嵌合結合された後、表側取付台１４ｂの基部１４ｂ−２の外側に突出した棒状端子１８ｂの部分と、裏側取付台１６ｂの外側に突出した棒状端子１８ｂの部分にそれぞれ形成されたネジ部（図示していない）にそれぞれ螺合するナット２０により、表側取付台１４ｂと裏側取付台１６ｂは前面パネル８６を挟持して相互に固定される。
【００３９】
前面パネル８６の裏側に突出した棒状端子１８ｂの端部には、ネジ部３６が形成されており、このネジ部３６に圧着端子３２が接続された第２コード３８がナット３４によりネジ止めされる。棒状端子１８ｂの表側取付台１４ｂの基部１４ａ−２から突出した端部には細径部である突起部１８ｂ−２が形成されている。この突起部１８ｂ−２の突起長さは、短絡バー５０の一端５８ａの厚さと略同一であり、またその直径は一端５８ａに形成された穴部５４ａの直径に略等しい。したがって、棒状端子１８ｂには段差部１８ｂ-１が形成され、短絡バー５０の一端５８ａは、穴部５４ａに突起部１８ａ−２が挿通されて、後述するように、バネ４６により段差部１８ｂ−１の段差面に押圧当接されるように構成されている。
【００４０】
固定蓋部４４は、有底の略円筒形状であり、内径は表側取付部１４ｂの基部１４−２の直径に略等しい。また、固定蓋部４４の略円形底部の中心には突起部４４ａが形成され、その突起部４４ａの直径は棒状端子１８ｂの直径と略同一である。また、その突起の長さは、固定蓋部４４を前面パネル８６に取り付けたときに、棒状端子１８ｂの突起部１８ｂ−２の先端面に突起部４４ａの先端面が当接する長さに設定されている。
【００４１】
ここで、固定蓋部４４の突起部４４ａの周囲にはバネ４６が巻かれており、自然長で固定蓋部４４を前面パネルに取り付けたとき、棒状端子１８ｂの段差部１８ｂ−１付近にまで到達する。したがって、固定蓋部４４を前面パネル８６に取り付けたとき、短絡バー５０の一端５８ａは、バネ４６により棒状端子１８ｂの段差部１８ｂ−１の段差面に押圧当接されることとなり、電気的接続が良好に保たれることとなる。
【００４２】
また、固定蓋部４４の内側であって、バネ４６の更に外側にバネ４５が取り付けられている。このバネ４５により、短絡バー５０が棒状端子１８ｂの突起部１８ｂ−２を中心に、他端５８ｂが棒状端子１８ａから離隔する方向に回動するように付勢されている。本実施の形態では、短絡バー５０の他端５８ｂがトリップロック時に、前面パネル８６に対して左に略４５度回動するように付勢されている。
【００４３】
上側の端子１２ａの移動蓋部４０及び下側の端子１２ｂの固定蓋部４４には、それぞれ切り込み４０ｄ、４４ｃが設けられている。すなわち、移動蓋部４０には、移動蓋部４０を前面パネル８６に当接された状態からからギャップＧだけ引っ張り出したときに、短絡バー５０の他端５８ｂが回動し、端子１２ａから横方向に外れるように切り込み４０ｄが設けられている。そして、固定蓋部４４には、端子１２ａの移動蓋部４０を前面パネル８６から引っ張り出し、短絡バー５０の他端５８ｂが棒状端子１８ａから離隔して短絡バー５０が左に略４５度回転するときに、この回転を許容するだけの切り込み４４ｃが設けられている。
【００４４】
上記の構成により、短絡バー５０の他端５８ｂは、トリップロック状態時に棒状端子１２ａから離隔するが、短絡バー５０の一端５８ａは、棒状端子１２ｂと電気的な接続状態を保ちつつ回度可能に取り付けられているので、端子１２ｂからは外れない。これにより、短絡バー５０をトリップロック時に紛失することが防止される。
【００４５】
トリップロック状態から保護回路を作動させるには、短絡バー５０のスライドカバー５６を元に戻して他端５８ｂを露出させ、短絡バー５０の摘み部５２を把持し、端子１２ｂの固定蓋部４４に設けられたバネ４６の付勢力に抗して右に略４５度回転させ、短絡バー５０の他端５８ｂの穴部５４ｂと端子１２ａの棒状端子１８ａの中心を合わせ、移動蓋部４０を前面パネル８６に当接するまで移動させる。この動作により、移動蓋部４０の底部の第２突起部４０ｂが短絡バー５０の他端５８ｂの穴部５４ｂに挿通され、第１突起部４０ａに巻かれたバネ４２により他端５８ｂが棒状端子１８ａの端面に付勢される。すなわち、短絡バー５０の他端５８ｂと他方の棒状端子１８ａとの電気的な接続は、他端５８ｂが棒状端子１８ａの端面に当接して為され、その電気的接続状態の維持は、移動蓋部４０の突起部４０ｂとバネ４２と、短絡バー５０の他端５８ｂに形成された穴部５４ｂから成る短絡バー係止手段により為される。これにより、短絡バー５０の他端５８ｂと棒状端子１２ａと良好な電気的な接続が維持され保護回路が作動する。
【００４６】
保護回路が作動している状態から、トリップロックさせるには、端子部１２ａの移動蓋部４０を前面パネル８６に当接された状態から引っ張り出せば良い。これにより、第２突起部４０ｂが短絡バー５０の他端５８ｂの穴部５４ｂから外れ、短絡バー係止手段による係止が解除され、短絡バー５０に付勢されているバネ４５による回転力により、短絡バー５０が左側に略４５度回転して、短絡バー５０の他端５８ｂが棒状端子１８ａから離隔することとなる。このようにして、容易にトリップロックの状態にすることができる。ここで、短絡バー５０は一端５８ａが棒状端子１８ｂから外れないので、短絡バー５０を紛失することが防止される。また、短絡バー５０の摘み部５２のスライドカバー５６を他端５８ｂ側に移動させ、他端５８ｂを被覆状態にすると、他端ｂ５８ｂに接触することによる事故を防止すると共に、摘み部５２にトリップロック中の文字が現れるので、トリップロック中であることを認識することができ、誤操作を防止することができる。
【００４７】
本実施の形態のトリップロック端子によれば、短絡バー５０の一端５８ａと棒状部端子１８ｂとの電気的な接続状態を保ったままで、短絡バー５０を棒状端子１８ｂに、この棒状端子１８ｂを中心に回動可能に取り付けたので、短絡バー５０を紛失することが防止される。また、短絡バー５０を回動させるだけで、棒状端子１８ａ、１８ｂ間を短絡又は開放状態とすることができるので、その後の作業に迅速に取り掛かることが可能である。また、トリップロック中であることが摘み部に明確に表示されるので、誤操作を防止することができる。
【００４８】
なお、本発明は、上述の実施の形態に限定されるものではなく、本発明の趣旨を逸脱しない範囲で種々の変更が可能である。例えば、端子１２ａ、１２ｂの表側取付台１４ａ、１４ｂ、裏側取付台１６ａ、１６ｂ、移動蓋部４０、固定蓋部４４等は、略円柱形状若しくは略円筒形状のものを例示したが、この形状に限られない。
【符号の説明】
【００４９】
１０  トリップロック端子
１２  端子部
１２ａ、１２ｂ  端子
１４ａ、１４ｂ  表側取付台
１６ａ、１６ｂ  裏側取付台
１８ａ、１８ｂ  棒状端子
４０  移動蓋部
４２、４５、４６  バネ
４４  固定蓋部
５０  短絡バー
５２  摘み部
５６  スライドカバー
５８ａ  一端
５８ｂ  他端
８６  前面パネル
【図１】
2012194135.tif 000003
【図２】
2012194135.tif 000004
【図３】
2012194135.tif 000005
【図４】
2012194135.tif 000006
【図５】
2012194135.tif 000007
【図６】
2012194135.tif 000008